(57)【要約】      （修正有）【課題】高配光角度が得られるとともに、ランプ中心が過熱し難く、小型で比較的安価な発光装置と複合レンズを提供する。【解決手段】発光装置は、発光モジュール１１と、複合レンズ１２と、ランプシェード１３を備え、発光モジュールは複数の発光ダイオードを有し、基板１１２に環設する。複合レンズは発光モジュールの上方に、複数の発光ダイオードに対応して設置される。複合レンズはさらに第一接続部と、第二接続部と、全反射部及び外周部を備え、第二接続部は第一接続部を取り囲んで接続され、全反射部は第二接続部を取り囲んで接続され、外周部は全反射部を取り囲んで接続され、さらに全反射部は少なくとも一つの全反射方式によって、複数の発光ダイオードが発する光線を反射し、且つ複合レンズを貫通し出射する。ランプシェードは発光モジュール及び複合レンズを覆うように設置される。【選択図】図１Ｂ
0003211543.tif 000002
【実用新案登録請求の範囲】
【請求項１】
複数の発光ダイオードを有し、基板に環設した発光モジュールと、
前記発光モジュールの上方に設置すると共に、前記複数の発光ダイオードに対応して設けた複合レンズと、
前記発光モジュール及び前記複合レンズを覆うように設置したランプシェードと、を備え、
前記複合レンズは、第一接続部、第二接続部、全反射部及び外周部を備え、前記第二接続部は前記第一接続部を取り囲んで接続され、前記全反射部は前記第二接続部を取り囲んで接続され、前記外周部は前記全反射部を取り囲んで接続され、且つ前記全反射部は少なくとも一つの全反射方式によって、前記複数の発光ダイオードから発する光線を反射し、且つ前記複合レンズを貫通し出射することを特徴とする発光装置。
【請求項２】
前記複合レンズは、前記第一接続部と、前記第二接続部と、前記全反射部と、前記外周部の下方に設けた環形収容空間とを有し、前記複数の発光ダイオードを前記環形収容空間内に設置することを特徴とする請求項１に記載の発光装置。
【請求項３】
前記第二接続部は、光入射面と光出射面を有し、前記光入射面と前記光出射面はそれぞれ前記複数の発光ダイオード方向より遠く離れた凸出の円弧面に向かうか、または前記複数の発光ダイオード方向より近い凸出の円弧面に向かうか、または平面であることを特徴とする請求項１に記載の発光装置。
【請求項４】
前記全反射部は光入射面と光反射面を有し、前記光入射面は前記複数の発光ダイオード方向より近い凸出の円弧面に向かうか、または前記複数の発光ダイオード方向より遠く離れた凸出の円弧面に向かうか、または平面であり、前記光反射面は前記複数の発光ダイオード方向より遠く離れた凸出の円弧面に向かうことを特徴とする請求項１に記載の発光装置。
【請求項５】
前記外周部は光出射面を有し、前記光出射面は平面であり、または前記複数の発光ダイオード方向より近い凸出の円弧面に向かうか、または前記複数の発光ダイオード方向より遠く離れた凸出の円弧面に向かうことを特徴とする請求項１に記載の発光装置。
【請求項６】
前記外周部は光出射面を有し、前記光出射面は微細構造を有することを特徴とする請求項１に記載の発光装置。
【請求項７】
前記ランプシェードに接合すると同時に、前記発光装置と前記複合レンズを載置するベースと、
前記ベースに接合するランプキャップをさらに備えることを特徴とする請求項１に記載の発光装置。
【請求項８】
前記ベースは放熱構造を有することを特徴とする請求項７に記載の発光装置。
【請求項９】
前記複数の発光ダイオードは発光面積を有し、前記発光面積と前記複合レンズのサイズは等比例の対応関係を有することを特徴とする請求項１に記載の発光装置。
【請求項１０】
複数の発光ダイオードを有し、基板に環設する発光モジュールに合わせて用いる複合レンズであって、
前記複合レンズは、
第一接続部と、
前記第一接続部を取り囲んで接続される第二接続部と、
前記第二接続部を取り囲んで接続される全反射部と、
前記全反射部を取り囲んで接続される外周部と、を備え、
前記複合レンズは前記発光モジュールの上方に設置されると共に、前記複数の発光ダイオードに対応して設置され、
前記全反射部は少なくとも一つの全反射方式によって、前記複数の発光ダイオードから発する光線を反射し、且つ前記複合レンズを貫通して出射されることを特徴とする複合レンズ。
【考案の詳細な説明】
【技術分野】
【０００１】
本考案は、発光装置並びにこの発光装置に用いられる複合レンズに関するものであり、とくに、より高配光角度を有する発光装置並びにこの発光装置に用いられる複合レンズに関するものである。
【背景技術】
【０００２】
近年では、発光ダイオード（Light Emitting Diode, LED）は、その製造工程や材料において、絶えず改良を重ねてきたことから、発光ダイオードの発光効率を大幅に高めることができるようになって来ている。発光ダイオードは、通常の蛍光灯、または省エネ電球とは異なり、低消費電力、長寿命、高い安全性を有し、さらに応答時間が短く、さらに小型化を図ることができるなどの特徴を有することから、既に幅広く多くの分野に用いられている。そんな中で、発光ダイオードはこれを発光ランプとして用いることにより、従来の蛍光ランプや蛍光管は、発光ダイオードを光源とするものに取って代わられつつある。
【０００３】
通常、発光ダイオードランプは、発光ダイオードと回路基板を有している。発光ダイオードは回路基板に設置し、発光ダイオードが駆動されると発光する。しかし、発光ダイオードから発する光線は方向性を有すると共に、放熱を促進するためにベース上に取り付ける必要があることから、発光ダイオードランプの光照射領域は約１８０度となり、そのままでは従来の蛍光ランプや蛍光管のように３６０度の配光角度を得ることができない。
【０００４】
そこで従来公知の発光ダイオードランプは、二次光学レンズを使用して高い配光角度に達するようになっている。このようにして、従来公知の発光ダイオードランプは、高い配光角度に達することができるが、二次光学レンズは、通常、直接チップパッケージ（Chip on Board, COB）の発光ダイオード、または中央エリアをタイトパッケージする複数の発光ダイオードの設置方式を採用している。このような方法は、ランプ中心の過熱を引き起こし、熱が集中し放熱しがたいことと二次光学レンズが比較的に大きく、比較的に価格が高いという欠点がある。
【考案の概要】
【考案が解決しようとする課題】
【０００５】
本考案の目的は、高い配光角度を得ることができた上で、ランプ中心が過熱し、熱が集中し放熱しがたいことと二次光学レンズが比較的に大きく、比較的に価格が高いという欠点を回避することができる。
【課題を解決するための手段】
【０００６】
上記の目的を達成するために、本考案に基づいた発光装置は、発光モジュールと、複合レンズと、ランプシェードを備える。発光モジュールは複数の発光ダイオードを有し、基板に環設する。複合レンズは発光モジュールの上方に設置すると同時に、前記複数の発光ダイオードに対応して設置し、複合レンズは第一接続部と、第二接続部と、全反射部及び外周部を備え、第二接続部は第一接続部を取り囲んで接続され、全反射部は第二接続部を取り囲んで接続され、外周部は全反射部を取り囲んで接続され、且つ全反射部は少なくとも一つの全反射方式によって、前記複数の発光ダイオードから発する光線を反射し、複合レンズを貫通して出射される。ランプシェードは発光モジュール及び複合レンズに覆うように設置する。
【０００７】
上記の目的を達成するために、本考案に基づいた複合レンズは、発光モジュールに合わせて使用する。この発光モジュールは複数の発光ダイオードを有し、基板に環設し、複合レンズは発光モジュールの上方に設置すると共に、前記複数の発光ダイオードに対応して設置する。複合レンズは第一接続部と、第二接続部と、全反射部及び外周部を備え、第二接続部は第一接続部を取り囲んで接続され、全反射部は第二接続部を取り囲んで接続され、外周部は全反射部を取り囲んで接続され、且つ全反射部は少なくとも一つの全反射方式によって、前記複数の発光ダイオードから発する光線を反射し、且つ複合レンズを貫通して出射される。
【考案の効果】
【０００８】
上記したように、本考案に係る発光装置と複合レンズは、複数の発光ダイオードを基板に環設し、さらに複合レンズを発光モジュールの上方に設置すると共に、前記複数の発光ダイオードに対応して設置し、複合レンズの第二接続部に第一接続部を取り囲んで接続され、全反射部は第二接続部を取り囲んで接続され、外周部は全反射部を取り囲んで接続され、且つ全反射部は少なくとも一つの全反射方式によって、前記複数の発光ダイオードから発する光線を反射し、且つ複合レンズを貫通し出射することによって、出光角度を高め、高配光角度を得るという目的に達することができる。また、従来技術に比べ、本考案に基づいた発光装置は、ランプ中心が過熱し、熱が集中し放熱しがたいことと二次光学レンズが比較的に大きく、比較的に価格が高いという欠点を回避することができる。
【図面の簡単な説明】
【０００９】
【図１Ａ】本考案の好ましい実施例に係る発光装置の分解斜視図である。
【図１Ｂ】本考案の好ましい実施例に係る発光装置の要部の縦断面図である。
【図２】図１Ａの発光装置の複合レンズと発光モジュールの相対位置図である。
【図３Ａ】本考案の異なる実施態様の複合レンズの概略図である。
【図３Ｂ】本考案の異なる実施態様の複合レンズの概略図である。
【図３Ｃ】本考案の異なる実施態様の複合レンズの概略図である。
【図３Ｄ】本考案の異なる実施態様の複合レンズの概略図である。
【図３Ｅ】本考案の異なる実施態様の複合レンズの概略図である。
【図３Ｆ】本考案の異なる実施態様の複合レンズの概略図である。
【図３Ｇ】本考案の異なる実施態様の複合レンズの概略図である。
【図３Ｈ】本考案の異なる実施態様の複合レンズの概略図である。
【図３Ｉ】本考案の異なる実施態様の複合レンズの概略図である。
【図４】本考案に係る発光装置の配光曲線図である。
【考案を実施するための形態】
【００１０】
以下、添付した図面を参照しながら、本考案の好ましい実施例に係る発光装置と複合レンズを詳細に説明する。その中で同じ符号は同じ部材を表す。
【実施例】
【００１１】
図１Ａ、図１Ｂ及び図２を参照されたい。図１Ａ及び図１Ｂはそれぞれ本考案の好ましい実施例に係る発光装置１の分解斜視図と縦断面図であり、図２は図１Ａの発光装置１の複合レンズ１２と発光モジュール１１の相対位置図である。
【００１２】
図１Ａ及び図１Ｂに示すように、発光装置１は、発光モジュール１１と、複合レンズ１２と、ランプシェード１３を備える。また、本実施例の発光装置１は、ベース１４とランプキャップ１５をさらに備える。
【００１３】
発光モジュール１１は、複数の発光ダイオード１１１と、基板１１２と、駆動回路１１３を備える。基板１１２は回路基板であると同時に、前記複数の発光ダイオード１１１は環状で基板１１２の上表面に設置する。応用において、発光モジュール１１の体積を減少するために、発光ダイオード１１１はチップ型発光ダイオードであり、もちろん、発光ダイオード１１１はディップ（DIP）の発光ダイオードであるが、これに限定されない。駆動回路１１３は基板１１２に設置すると同時に、発光ダイオード１１と電気的に接続している。より好ましくは、駆動回路１１３は、発光ダイオード１１１に相対するもう一つの表面（下面）に設置され、基板１１２の配線によって、この駆動回路１１３は発光ダイオード１１１の発光を制御することができる。
【００１４】
とくに注意すべきことは、本実施例の発光モジュール１１は、１４個の発光ダイオード１１１を有し、円形に環設するのを例として説明するが、実際応用時において、製品のニーズ、サイズ、またはデザインに基づいて、異なる数量の発光ダイオードと異なる配列方式を採用することができる。例えば、異なる数量の発光ダイオード１１１を使用して円状２周に配列することができる。また、本考案は発光モジュール１１の発光ダイオード１１１との間の接続方式に制限はなく、直列、並列、または直列と並列の組み合わせのどれでもよい。
【００１５】
複合レンズ１２は、発光モジュール１１の上方に設置すると共に、前記複数の発光ダイオード１１１に対応して設置する。本実施例の複合レンズ１２は、前記複数の発光ダイオード１１１の上に覆うように設置することで、前記複数の発光ダイオード１１１から発する光線は複合レンズ１２を貫通し出射することができる。複合レンズ１２の材料は透明な高分子物質であり、例えば、ポリメチルメタクリレート（Polymethly Methacrylate, PMMA）、ポリスチレン（Polystyrene, PS）、メチルメタクリレート ― スチレン（Methly−methacrylate−Styrene, MS）、またはポリカーボネート（Polycarbonate, PC）などであるが、これに限定されない。上記の複合レンズ１２と前記複数の発光ダイオード１１１の対応設置は、前記複数の発光ダイオード１１１の発光面積と複合レンズ１２のサイズは等比例の対応関係を有するように設置する。例えば、前記複数の発光ダイオード１１１が円形に環設され、その発する光線の発光面積がＡであると仮定した場合、異なる実施例において、発光モジュール１１はさらに複数の発光ダイオード１１１を有すると共に、例えば、２周（これら２周の半径の差は小さい）に環設し、この２周の発光ダイオード１１１から発する光線の発光面積を２Ａとし、複合レンズ１２のサイズを等比例の２倍に大きくすることで、より大きい発光面積を必要とする発光装置に応用することができる。また、仮に、前記複数の発光ダイオード１１１から発する光線の発光面積をＡ／２であると仮定する場合、複合レンズ１２のサイズは等比例の１／２に小さくすることができる。
【００１６】
図１Ｂ及び図２に示すように、本実施例において、複合レンズ１２は第一接続部１２１と、第二接続部１２２と、全反射部１２３、及び外周部１２４を備える。第一接続部１２１は複合レンズ１２の中央部に位置し、第二接続部１２２は第一接続部１２１を取り囲んで接続させ、全反射部１２３は第二接続部１２２を取り囲んで接続させ、さらに外周部１２４は全反射部１２３を取り囲んで接続させることで、複合レンズ１２は、環状構造を形成する。本実施例の第一接続部１２１の中央部は貫通孔を有し、且つ第一接続部１２１と、第二接続部１２２と、全反射部１２３及び外周部１２４の下方は環形収容空間１２５（非密閉空間）を形成することで、発光ダイオード１１１を環形収容空間１２５の中に設置（発光ダイオード１１１は複合レンズ１２に接触しない）される。また、第一接続部１２１と、第二接続部１２２と、全反射部１２３及び外周部１２４は一体成型であると同時に、例えば、射出成形によって製造されるが、これに限定されない。
【００１７】
本実施例において、第二接続部１２２は光入射面Ｉ１及び光出射面Ｓ１を有する。本実施例において、光入射面Ｉ１と光出射面Ｓ１はそれぞれ発光ダイオード１１１方向より遠く離れた凸出の円弧面に向かう。第二接続部１２２は発光モジュール１１から発する光線を第二接続部１２２の光入射面Ｉ１の屈折部を通過し、第二接続部１２２を貫通した後、光出射面Ｓ１から屈折して出射される。第二接続部１２２の光出射面Ｓ１から屈折するエリアは、上方エリアＡ１と呼ばれ、上方エリアＡ１の光路は前方の光線角度を０度から６０度の間に割り当てることができる。よって、第二接続部１２２の照射エリアは０度から６０度、即ち、配光角度は０度から６０度である。
【００１８】
全反射部１２３は、光入射面Ｉ２と、光出射面Ｓ２と、光反射面Ｒを有し、光反射面Ｒはそれぞれ第二接続部１２２の光出射面Ｓ１と光出射面Ｓ２に接続される。本実施例の全反射部１２３の光出射面Ｓ２は、実際存在の表面でなく、仮想表面であり、それと外周部１２４の光入射面は、共通の表面である。また、光出射面Ｓ２は光入射面Ｉ２に接続すると同時に、外周部１２４に接続する。さらに入射面Ｉ２は第二接続部１２２の光入射面Ｉ１と光出射面Ｓ２（または外周部１２４に接続する）に接続する。全反射部１２３は少なくとも一回の全反射の方式によって、前記複数の発光ダイオード１１１から発するもう一つの光線を反射すると同時に、複合レンズ１２を貫通して射出される。ここにおいて、光反射面Ｒは、前記複数の発光ダイオード１１１方向より遠く離れた凸出の円弧面に向かう。入射面Ｉ２は前記複数の発光ダイオード１１１方向より近い凸出の円弧面に向かうと同時に、光線は光入射面Ｉ２から全反射部１２３に入射し、且つ光反射面Ｒから全反射し、そして全反射部１２３に貫通した後、光出射面Ｓ２から外周部１２４に入り外部へ出射される。ここでは、これを全反射エリア（total internal reflection, TIR）Ａ２と呼ぶ。全反射エリアＡ２の光路は、後方の光線角度を６０度から１５０度の間に割り当てることができる。よって、全反射部１２３の照射エリアは６０度から１５０度であり、即ち、配光角度は６０度から１５０度である。
【００１９】
外周部１２４は、光入射面Ｉ３と光出射面Ｓ３を有し、本実施例の光入射面Ｉ３と光出射面Ｓ３はそれぞれ平面であると同時に、光入射面Ｉ３は光入射面Ｉ２に接続されている。ここにおいて、外周部１２４は全反射部１２３を取り囲んで接続されることで、全反射部１２３の光反射面Ｒによって反射した光線は外周部１２４を貫通し、光出射面Ｓ３から出射させることができる。または、光入射面Ｉ３から入射した光線は、外周部１２４を貫通した後、光出射面Ｓ３から屈折して出射される。ここでは、これをサイドエリアＡ３と呼ぶ、サイドエリアＡ３の光路はサイドの光線角度を６０度から９０度の間に割り当てることができる。よって、外周部１２４の照射エリアは６０度から９０度であり、即ち、配光角度は６０度から９０度である。
【００２０】
図１Ａと図１Ｂをさらに参照されたい。ランプシェード１３は発光モジュール１１及び複合レンズ１２に覆うように設置する。ここにおいて、ランプシェード１３は、ベース１４に接続されることで、収容空間１３１を形成し、発光モジュール１１及び複合レンズ１２を収容する。ランプシェード１３の材料はガラス、または透明な高分子物質である。いくつかの実施例において、クリアブリスター、またはフラットブリスターのランプシェード１３を採用することができる。他の実施例において、ヘイズを有するランプシェード１３を採用することで、発光装置１は、均一な光を得ることができる。
【００２１】
ベース１４はランプシェード１３に接合されると共に、発光モジュール１１及び複合レンズ１２を載置するために用いられる。ベース１４は金属、プラスチック、または二者の組み合わせ、またはその他の材料から製作され、且つベース１４は一体成型の部材、または複数の部品で構成される部材である。実施上において、ベース１４は複数の開口部、フィン、またはその他の放熱構造１４１（図１Ａ）を設けることで、熱対流及び熱伝導を図ることができる。また、ランプキャップ１５の一端とベース１４は、ランプシェード１３の一端より遠く離れて接合し、他の一端はソケット（図示しない）に接続して、外部電源を受信するために用いられ、発光モジュール１１へ電源を提供する。
【００２２】
図３Ａから図３Ｉを参照されたい。図３Ａから図３Ｉは本考案の異なる実施態様の複合レンズ１２ａから１２ｉの概略図である。ここにおいて、複合レンズ１２ａから１２ｉのみを表示し、複合レンズ１２ａから１２ｉと発光装置のその他の部材の相対位置図は図２を参照されたい。図３Ａと図２の複合レンズの形状は同一であることから、複合レンズ１２ａと表示する。
【００２３】
図３Ａにおいて、複合レンズ１２ａの第二接続部１２２の光入射面Ｉ１と光出射面Ｓ１は、それぞれ前記複数の発光ダイオード方向より遠く離れた凸出の円弧面に向かう。全反射部１２３の入射面Ｉ２は、前記複数の発光ダイオード方向より近い凸出の円弧面に向かう。外周部１２４の光入射面Ｉ３と光出射面Ｓ３はそれぞれ平面である。
【００２４】
図３Ｂの複合レンズ１２ｂにおいて、図３Ａの複合レンズ１２ａとの主な違いは、複合レンズ１２ｂの第二接続部１２２の光入射面Ｉ１と光出射面Ｓ１が、それぞれ前記複数の発光ダイオード方向より近い凸出の円弧面に向かう点である。
【００２５】
図３Ｃの複合レンズ１２ｃにおいて、図３Ａの複合レンズ１２ａとの主な違いは、複合レンズ１２ｃの第二接続部１２２の光入射面Ｉ１と光出射面Ｓ１がそれぞれ平面である点である。
【００２６】
図３Ｄの複合レンズ１２ｄにおいて、図３Ａの複合レンズ１２ａとの主な違いは、複合レンズ１２ｃの全反射部１２３の光入射面Ｉ２が平面である点である。
【００２７】
図３Ｅの複合レンズ１２eにおいて、図３Ａの複合レンズ１２ａとの主な違いは、複合レンズ１２eの全反射部１２３の光入射面Ｉ２が、前記複数の発光ダイオード方向より遠く離れた凸出の円弧面に向かう点である。
【００２８】
図３Ｆの複合レンズ１２ｆにおいて、図３Ａの複合レンズ１２ａとの主な違いは、複合レンズ１２ｃの外周部１２４の光出射面Ｓ３が微細構造１２４１を有する点である。この微細構造１２４１の設置によって、光出射面Ｓ３の光線を効果的に均一に出射することができる。前記微細構造１２４１は、インク印刷、エッチング方式、レーザ、精密機械加工等によって製作することができる。また、微細構造１２４１の断面形状は、波状、または弧形、または鋸歯状のうちの一つ、またはそれらの任意の組み合わせから選択することができる。ここにおいて、光出射面Ｓ３の微細構造１２４１は小波状を例とする。
【００２９】
図３Ｇの複合レンズ１２ｇにおいて、図３Ａの複合レンズ１２ａとの主な違いは、複合レンズ１２ｇの外周部１２４の光出射面Ｓ３が、前記複数の発光ダイオード方向より近い凸出の円弧面に向かう点である。
【００３０】
図３Ｈの複合レンズ１２ｈにおいて、図３Ａの複合レンズ１２ａとの主な違いは、複合レンズ１２ｈの外周部１２４の光出射面Ｓ３が、前記複数の発光ダイオード方向より遠く離れた凸出の円弧面に向かう点である。
【００３１】
図３Ｉの複合レンズ１２ｉにおいて、図３Ａの複合レンズ１２ａとの主な違いは、複合レンズ１２ｉが光入射面Ｉ３の構造を直接切断することで、外周部１２４に光入射面Ｉ３を有しない。よって、発光ダイオード１１１から発する光線は直接、外周部１２４の下方のエリアを通って射出する。
【００３２】
複合レンズ１２ａから１２ｉのその他の技術特徴は、すでに複合レンズ１２において、詳しく説明したため、ここでは、繰り返して述べない。
【００３３】
とくに説明すべきことは、上述の実施態様はあくまでも例示にすぎない。複合レンズ１２ａから１２ｉは上述の態様以外に、上述した特徴の任意の組み合わせとすることができる。本考案はこれに限定されない。また、仮に、上述の異なる実施態様の複合レンズ１２ａから複合レンズ１２ｉを発光装置１の複合レンズ１２に置き換えた後、その得た発光装置は同じように高配光角度の目的を達成することができる以外に、ランプ中心が過熱し、熱が集中し放熱しがたいことと二次光学レンズが比較的に大きく、比較的に価格が高いという欠点を回避することができる。
【００３４】
図４を参照されたい。図４は本考案の実施例の発光装置の配光曲線図である。図４から得られる本考案の実施例の発光装置の配光角度は約３００度（約３０２．８度）ぐらいに達することができる。
【００３５】
また、本考案の発光装置は、環状に配列した発光ダイオードを採用し、環状に配列した発光ダイオードの半径を拡大、または縮小することができる。その場合には、複合レンズは発光ダイオードの半径に伴って拡大、または縮小すればよく、複合レンズ自体の高さを変更する必要はない。且つ従来技術がチップを使用して直接チップパッケージする発光ダイオード、または中央エリアをタイトパッケージする複数の発光ダイオードの配列と比べて、環状に配列した発光ダイオードは発光装置の放熱に対して、プラスの効果を有するだけでなく、配列方式もより大きな変化空間を有する。よって、上記開示の構造によって、発光装置及びその変化態様は出光角度を高めることで、高配光角度の目的を達成することができ、さらに発光装置の発光品質を増加することができる。
【００３６】
上記をまとめると、本考案に基づいた発光装置と複合レンズは、複数の発光ダイオードを基板に環設し、さらに複合レンズを発光モジュールの上方に設置すると共に、前記複数の発光ダイオードに対応して設置する。複合レンズの第二接続部は第一接続部を取り囲んで接続され、全反射部は第二接続部を取り囲んで接続され、外周部は全反射部を取り囲んで接続され、且つ全反射部は少なくとも一つの全反射方式によって、前記複数の発光ダイオードから発する光線を反射し、且つ複合レンズを貫通し出射することによって、出光角度を高め、高配光角度の目的を達成することができる、さらに本考案に係る発光装置は、従来技術に比べ、ランプ中心が過熱し、熱が集中し放熱しがたいことと二次光学レンズが比較的に大きく、比較的に価格が高いという欠点を回避することができる。
【００３７】
上記実施例は例示的なものであって、本考案を限定するためのものではない。本考案の技術的思想及び実用新案請求の範囲から逸脱することなく、行われる等価の修正または変更は、いずれも本考案の実用新案登録請求の範囲に含まれる。
【産業上の利用可能性】
【００３８】
本考案は以上の如く構成したので、環状配列を使用する複数の発光ダイオードを用いた発光装置並びにこの発光装置に用いられる複合レンズとして好適に用いられるものである。
【符号の説明】
【００３９】
１  発光装置
１２  複合レンズ
１１  発光モジュール
１１１  発光ダイオード
１１２  基板
１１３  駆動回路
１２、１２ａ〜１２ｉ  複合レンズ
１２１  第一接続部
１２２  第二接続部
１２３  全反射部
１２４  外周部
１２４１  微細構造
１２５  環形収容空間
１３  ランプシェード
１３１  収容空間
１４  ベース
１４１  放熱構造
１５  ランプキャップ
Ａ１  上方エリア
Ａ２  全反射エリア
Ａ３  サイドエリア
Ｉ１、Ｉ２、Ｉ３  光入射面
Ｒ  光反射面
Ｓ１、Ｓ２、Ｓ３  光出射面
【図１Ａ】
0003211543.tif 000003
【図１Ｂ】
0003211543.tif 000004
【図２】
0003211543.tif 000005
【図３Ａ】
0003211543.tif 000006
【図３Ｂ】
0003211543.tif 000007
【図３Ｃ】
0003211543.tif 000008
【図３Ｄ】
0003211543.tif 000009
【図３Ｅ】
0003211543.tif 000010
【図３Ｆ】
0003211543.tif 000011
【図３Ｇ】
0003211543.tif 000012
【図３Ｈ】
0003211543.tif 000013
【図３Ｉ】
0003211543.tif 000014
【図４】
0003211543.tif 000015